(57)【要約】【課題】不要な映像表示部の駆動を抑え、消費電力を低減することができる光ディスク再生装置一体型映像表示機及び光ディスク再生装置一体型テレビ受像機を実現する。【解決手段】ＤＶＤに記録されている映像データと音声データと、ＣＤに記録されている音声データとを再生可能な光ディスク再生装置２と、その映像データに基づく映像を表示するブラウン管６と、その音声データに基づく音声を出力するスピーカー８と、を備えるＤＶＤ再生装置一体型テレビ１００において、光ディスク再生装置２に装填されている光ディスクがＣＤであると判断された場合に、スイッチ９をオフに切り替えることによって、電源（＋Ｂ）から映像表示駆動回路４、ＦＢＴ５、ブラウン管６に供給される電流を遮断することによって、ＣＤを再生処理する際に動作する必要のないブラウン管６などの駆動を停止して消費電力を低減することとした。【選択図】図１
2007129399.tif 000002
【特許請求の範囲】
【請求項１】
所定の放送に関する放送信号を受信する受信部と、
映像／音声用光ディスクに記録されている映像データと音声データと、音声用光ディスクに記録されている音声データと、を再生可能な光ディスク再生装置と、
前記受信部が受信した放送信号に応じた映像データに基づく映像または前記光ディスク再生装置により再生された映像データに基づく映像を表示する映像表示部と、
前記受信部が受信した放送信号に応じた音声データに基づく音声または前記光ディスク再生装置により再生された音声データに基づく音声を出力する音声出力部と、
を備える光ディスク再生装置一体型テレビ受像機において、
前記映像表示部を駆動させる駆動回路においてコレクタ側が電源に接続されているトランジスタと、前記トランジスタのベース側に接続されているオン／オフ切替可能なスイッチ部と、を有する切替手段と、
前記光ディスク再生装置に装填されている光ディスクが、音声用光ディスクであるか否かを判断する光ディスク判断手段と、を備え、
前記光ディスク判断手段により、前記光ディスク再生装置に装填されている光ディスクが音声用光ディスクであると判断された場合に、前記切替手段の前記スイッチ部をオフに切り替えることによって、前記電源から前記映像表示部に供給される電流を遮断することを特徴とする光ディスク再生装置一体型テレビ受像機。
【請求項２】
映像／音声用光ディスクに記録されている映像データと音声データと、音声用光ディスクに記録されている音声データと、を再生可能な光ディスク再生装置と、
前記光ディスク再生装置により再生された映像データに基づく映像を表示する映像表示部と、
前記光ディスク再生装置により再生された音声データに基づく音声を出力する音声出力部と、
を備える光ディスク再生装置一体型映像表示機において、
前記光ディスク再生装置に装填されている光ディスクが、音声用光ディスクであるか否かを判断する光ディスク判断手段と、
前記光ディスク判断手段により、前記光ディスク再生装置に装填されている光ディスクが音声用光ディスクであると判断された場合に、前記映像表示部に電源から供給される電流を遮断するように切り替える切替手段と、
を備えることを特徴とする光ディスク再生装置一体型映像表示機。
【請求項３】
前記切替手段は、前記映像表示部を駆動させる駆動回路においてコレクタ側が電源に接続されているトランジスタと、前記トランジスタのベース側に接続されているオン／オフ切替可能なスイッチ部と、を有し、
前記光ディスク判断手段により、前記光ディスク再生装置に装填されている光ディスクが音声用光ディスクであると判断された場合に、前記スイッチ部がオフに切り替えられることに伴い、前記電源から前記映像表示部に供給される電流を遮断することを特徴とする請求項２に記載の光ディスク再生装置一体型映像表示機。
【発明の詳細な説明】
【技術分野】
【０００１】
本発明は、光ディスク再生装置一体型映像表示機及び光ディスク再生装置一体型テレビ受像機に関する。
【背景技術】
【０００２】
従来、選局されたチャンネルの放送信号を受信して、その放送信号に応じた映像や音声を出力するテレビ受像機に、ＤＶＤプレーヤなどの光ディスク再生装置が一体に設けられた光ディスク再生装置一体型テレビ受像機が知られている。
そして、光ディスク再生装置一体型テレビ受像機において、その光ディスク再生装置でＤＶＤ（Digital Versatile Disk）を再生して得られた映像信号と音声信号に応じた映像と音声をそれぞれテレビ受像機の映像表示部とスピーカーから出力することと、ＣＤ（Compact Disk）を再生して得られた音声信号に応じた音声をテレビ受像機のスピーカーから出力することが可能となっているものがある。
【０００３】
また、ＤＶＤとＣＤを再生可能なオーディオ装置において、ディスクトレイに装填されたＤＶＤに記録されているＴＯＣ（Table Of Contents）情報に含まれる再生指示情報に基づいて、オーディオ装置が自動的にＤＶＤの再生を行ってしまうことを防ぎ、無駄な再生動作に伴う消費電力を低減することができるオーディオ装置が知られている（例えば、特許文献１参照。）。
【０００４】
また、電圧増幅に替えて電流増幅を行うことによって、回路電源の動作電圧を低電圧に下げることを可能にし、消費電力を低減することができる映像出力回路が知られている（例えば、特許文献２参照。）。
【０００５】
また、オーディオシステムに接続されている外部機器のオン／オフ状態を判断し、その外部機器のオン／オフ状態と連動するように、オーディオシステムの電源のオン／オフ制御を行うことによって、ユーザの操作性を簡略化するとともに、外部機器が動作しない状態における消費電力を低減することができるオーディオシステムが知られている（例えば、特許文献３参照。）。
【０００６】
また、操作部において一時停止の操作が行われたことを検出することに伴い、電力供給路を遮断してオーディオアンプ回路での電力消費を削減する記録媒体再生装置が知られている（例えば、特許文献４参照。）。
【０００７】
また、テレビやビデオ、ＣＤプレーヤ、テープレコーダなどの複数種の機器を一体のキャビネットに収めた複合ＡＶ装置において、ユーザが所望する機器を選択するためにリモコンの操作釦が操作されたことにより、その選択された機器が動作するように切り替えられたことに伴い、他の機器の電源を切ることによって、省電力を図る複合ＡＶ装置が知られている（例えば、特許文献５参照。）。
【特許文献１】特開２００４−２２０７０６号公報
【特許文献２】特開平１１−２２５３０５号公報
【特許文献３】特開平９−９１８７２号公報
【特許文献４】特開２０００−６７５１９号公報
【特許文献５】特開平７−２８８８７４号公報
【発明の開示】
【発明が解決しようとする課題】
【０００８】
しかしながら、上記従来技術の光ディスク再生装置一体型テレビ受像機の場合、そのテレビ受像機の光ディスク再生装置において、ＣＤを再生して音声をスピーカーから出力する際にも映像表示部は駆動された状態であるため、映像信号がなく、映像表示部で映像の表示が行われていない（例えば、黒色画面表示などの待機状態）にもかかわらず、映像表示部によって無駄な電力が消費されてしまうという問題があった。
【０００９】
また、上記特許文献１から特許文献５において開示されている消費電力の低減に関する技術によっては、前述の光ディスク再生装置一体型テレビ受像機における課題を解決することはできなかった。
【００１０】
本発明の目的は、不要な映像表示部の駆動を抑え、消費電力を低減することができる光ディスク再生装置一体型映像表示機及び光ディスク再生装置一体型テレビ受像機を提供することである。
【課題を解決するための手段】
【００１１】
以上の課題を解決するため、請求項１に記載の発明は、所定の放送に関する放送信号を受信する受信部と、映像／音声用光ディスクに記録されている映像データと音声データと、音声用光ディスクに記録されている音声データと、を再生可能な光ディスク再生装置と、前記受信部が受信した放送信号に応じた映像データに基づく映像または前記光ディスク再生装置により再生された映像データに基づく映像を表示する映像表示部と、前記受信部が受信した放送信号に応じた音声データに基づく音声または前記光ディスク再生装置により再生された音声データに基づく音声を出力する音声出力部と、を備える光ディスク再生装置一体型テレビ受像機において、前記映像表示部を駆動させる駆動回路においてコレクタ側が電源に接続されているトランジスタと、前記トランジスタのベース側に接続されているオン／オフ切替可能なスイッチ部と、を有する切替手段と、前記光ディスク再生装置に装填されている光ディスクが、音声用光ディスクであるか否かを判断する光ディスク判断手段と、を備え、前記光ディスク判断手段により、前記光ディスク再生装置に装填されている光ディスクが音声用光ディスクであると判断された場合に、前記切替手段の前記スイッチ部をオフに切り替えることによって、前記電源から前記映像表示部に供給される電流を遮断することを特徴とする。
【００１２】
請求項２に記載の発明は、映像／音声用光ディスクに記録されている映像データと音声データと、音声用光ディスクに記録されている音声データと、を再生可能な光ディスク再生装置と、前記光ディスク再生装置により再生された映像データに基づく映像を表示する映像表示部と、前記光ディスク再生装置により再生された音声データに基づく音声を出力する音声出力部と、を備える光ディスク再生装置一体型映像表示機において、前記光ディスク再生装置に装填されている光ディスクが、音声用光ディスクであるか否かを判断する光ディスク判断手段と、前記光ディスク判断手段により、前記光ディスク再生装置に装填されている光ディスクが音声用光ディスクであると判断された場合に、前記映像表示部に電源から供給される電流を遮断するように切り替える切替手段と、を備えることを特徴とする。
【００１３】
請求項３に記載の発明は、請求項２に記載の光ディスク再生装置一体型映像表示機において、前記切替手段は、前記映像表示部を駆動させる駆動回路においてコレクタ側が電源に接続されているトランジスタと、前記トランジスタのベース側に接続されているオン／オフ切替可能なスイッチ部と、を有し、前記光ディスク判断手段により、前記光ディスク再生装置に装填されている光ディスクが音声用光ディスクであると判断された場合に、前記スイッチ部がオフに切り替えられることに伴い、前記電源から前記映像表示部に供給される電流を遮断することを特徴とする。
【発明の効果】
【００１４】
請求項１に記載の発明によれば、光ディスク再生装置一体型テレビ受像機は、受信部によって受信された放送信号に応じた映像データに基づく映像を映像表示部に表示し、音声データに基づく音声を音声出力部から出力することができる。
また、光ディスク再生装置一体型テレビ受像機は、光ディスク再生装置によって映像／音声用光ディスクに記録されている映像データと音声データを再生し、映像データに基づく映像を映像表示部に表示し、音声データに基づく音声を音声出力部から出力することができる。また、光ディスク再生装置によって音声用光ディスクに記録されている音声データを再生し、音声データに基づく音声を音声出力部から出力することができる。
そして、光ディスク再生装置一体型テレビ受像機は、光ディスク再生装置に装填されている光ディスクが、音声用光ディスクであるか否かを判断することができ、その光ディスクが音声用光ディスクであると判断した場合に、映像表示部に電源から供給される電流を切替手段によって遮断するように切り替えることができる。
つまり、光ディスク再生装置一体型テレビ受像機は、音声用光ディスクを再生処理する際に、動作する必要のない映像表示部に供給される電流を遮断し、映像表示部の駆動を停止することによって、映像表示部によって消費される電力を削減することができる。
【００１５】
特に、光ディスク再生装置一体型テレビ受像機の切替手段は、映像表示部を駆動させる駆動回路においてコレクタ側が電源に接続されているトランジスタと、そのトランジスタのベース側に接続されているオン／オフ切替可能なスイッチ部と、を備えており、光ディスク再生装置に装填されている光ディスクが音声用光ディスクであると判断された場合、スイッチ部がオフに切り替えられることによって、トランジスタのベース電流が流れないようにオフに切り替えることができる。そして、トランジスタのベース電流がオフに切り替えられると、そのトランジスタ自体がオフ状態となり、トランジスタのコレクタ側からエミッタ側に電流が流れなくなるので、トランジスタのコレクタ側に接続されている電源からトランジスタを通じて駆動回路に供給される電流が遮断されることとなって、映像表示部によって消費される電力を削減することができる。
【００１６】
よって、光ディスク再生装置一体型テレビ受像機において音声用光ディスクを再生処理する際に、動作する必要のない映像表示部に供給される電流を簡易な回路構成によって遮断することができ、好適に映像表示部の駆動を停止することにより、映像表示部によって消費される電力を削減することができる。
従って、光ディスク再生装置一体型テレビ受像機は、不要な映像表示部の駆動を抑え、消費電力を低減することができる。
【００１７】
請求項２に記載の発明によれば、光ディスク再生装置一体型映像表示機は、光ディスク再生装置によって映像／音声用光ディスクに記録されている映像データと音声データを再生し、映像データに基づく映像を映像表示部に表示し、音声データに基づく音声を音声出力部から出力することができる。また、光ディスク再生装置によって音声用光ディスクに記録されている音声データを再生し、音声データに基づく音声を音声出力部から出力することができる。
そして、光ディスク再生装置一体型映像表示機は、光ディスク再生装置に装填されている光ディスクが、音声用光ディスクであるか否かを判断することができ、その光ディスクが音声用光ディスクであると判断した場合に、映像表示部に電源から供給される電流を切替手段によって遮断するように切り替えることができる。
つまり、光ディスク再生装置一体型映像表示機は、音声用光ディスクを再生処理する際に、動作する必要のない映像表示部に供給される電流を遮断し、映像表示部の駆動を停止することによって、映像表示部によって消費される電力を削減することができる。
よって、光ディスク再生装置一体型映像表示機は、不要な映像表示部の駆動を抑え、消費電力を低減することができる。
【００１８】
請求項３に記載の発明によれば、請求項２に記載の発明と同様の効果が得られることは無論のこと、光ディスク再生装置一体型映像表示機の切替手段は、映像表示部を駆動させる駆動回路においてコレクタ側が電源に接続されているトランジスタと、そのトランジスタのベース側に接続されているオン／オフ切替可能なスイッチ部と、を有しており、光ディスク再生装置に装填されている光ディスクが音声用光ディスクであると判断された場合に、スイッチ部がオフに切り替えられることによって、トランジスタのベース電流が流れないようにオフに切り替えることができる。
トランジスタのベース電流がオフに切り替えられると、そのトランジスタ自体がオフ状態となり、トランジスタのコレクタ側からエミッタ側に電流が流れなくなるので、トランジスタのコレクタ側に接続されている電源からトランジスタを通じて駆動回路や映像表示部に供給される電流が遮断されることとなる。
よって、光ディスク再生装置一体型映像表示機において音声用光ディスクを再生処理する際に、動作する必要のない映像表示部に供給される電流を簡易な回路構成によって遮断することができ、好適に映像表示部の駆動を停止することにより、映像表示部によって消費される電力を削減することができる。
【発明を実施するための最良の形態】
【００１９】
以下、図面を参照して本発明に係る光ディスク再生装置一体型映像表示機の実施形態について詳細に説明する。なお、本実施の形態においては、光ディスク再生装置一体型映像表示機として光ディスク再生装置一体型テレビ受像機（以下、ＤＶＤ再生装置一体型テレビ、テレビ）を挙げて説明する。
【００２０】
図１に示すように、ＤＶＤ再生装置一体型テレビ１００は、放送局から配信される放送信号を受信する受信部１と、記録媒体である光ディスクに記録されているデータを再生する光ディスク再生装置２と、受信部１が受信した放送信号や光ディスク再生装置２が再生したデータに関する信号に所定の処理を施す信号処理部３と、信号処理部３に映像表示駆動回路４とフライバックトランス（ＦＢＴ）５を介して接続される映像表示部としてのブラウン管６と、信号処理部３にオーディオアンプ７を介して接続される音声出力部としてのスピーカー８と、当該テレビ１００の各部を制御する制御部１０等を備えている。
【００２１】
受信部１は、例えば、アンテナ機器やチューナなどを備え、当該テレビ１００において選局されたチャンネルなどに応じた所定の放送信号を受信し、受信した放送信号を信号処理部３に送出する。なお、放送信号には、放送番組に関する映像信号と音声信号が含まれている。
【００２２】
光ディスク再生装置２は、映像／音声用光ディスクであるＤＶＤに対する再生処理を施し、ＤＶＤに記録されている映像データと音声データを再生することができるＤＶＤプレーヤ（DVD LOADER UNIT）である。また、光ディスク再生装置２は、音声用光ディスクであるＣＤに対する再生処理を施すことも可能であり、ＣＤに記録されている音声データを再生することができる。そして、光ディスク再生装置２は、再生した映像データや音声データに応じた映像信号や音声信号を信号処理部３に送出する。
また、光ディスク再生装置２は、ディスクトレイに装填されているＤＶＤやＣＤの内周側に記録されているＴＯＣ情報を読み取り、読み取ったＴＯＣ情報を制御部１０に出力する。なお、ＴＯＣ情報には、コンテンツが記録されたトラック数、各トラックの記録時間、各トラックのスタートアドレスやエンドアドレス、各トラックに記録されるデータの種類、等の情報が含まれている。
【００２３】
信号処理部３は、受信部１が受信した放送信号や、光ディスク再生装置２が再生した映像信号や音声信号に対して所定の処理を施し、電気信号に変換する。そして、信号処理部３は、ブラウン管６に映像を表示するために処理された映像に関する電気信号（例えば、水平同期信号）を映像表示駆動回路４に送出し、スピーカー８から音声を出力するために処理された音声に関する電気信号をオーディオアンプ７に送出する。
【００２４】
映像表示駆動回路４は、例えば、水平偏向回路であり、電源（＋Ｂ）に接続されるトランス４１と、トランス４１の一次側に接続される切替手段の一部として機能する第１のトランジスタ４２と、トランス４１の２次側に接続される第２のトランジスタ４３と、ダイオード４４やコンデンサ４５等を備えている。そして、映像表示駆動回路４は、入力された映像信号（水平同期信号）に走査線の偏向処理などを行い、フライバックトランス５を介してブラウン管６に映像に関する信号を出力する。
なお、第１のトランジスタ４２のコレクタ側に、トランス４１を介して電源（＋Ｂ）が接続されている。
【００２５】
また、信号処理部３と映像表示駆動回路４の間には、切替手段の一部として機能するスイッチ９が配設されている。
スイッチ９は、信号処理部３と映像表示駆動回路４の間の接続に関するオン／オフを切り替え可能な切替手段であり、信号処理部３から映像表示駆動回路４へ送られる電気信号（映像信号）の伝達と切断（オン／オフ）を切り替えることができる。
なお、スイッチ９は、第１のトランジスタ４２のベース側に接続されている。
そして、スイッチ９は、光ディスク再生装置２が光ディスクのＴＯＣ情報を読み取った結果、後述する制御部１０（光ディスク判断手段）の制御処理によって、光ディスク再生装置２のディスクトレイに装填されている光ディスクがＣＤであると判断された際に、光ディスク再生装置２から出力されるＣＤ検出信号に基づき、オフに切り替えられる。
【００２６】
このスイッチ９がオフに切り替えられて、信号処理部３から映像表示駆動回路４に入力される映像に関する電気信号が切断されると、第１のトランジスタ４２のベース電流が流れずオフとなる。
第１のトランジスタ４２のベース電流がオフに切り替えられると、第１のトランジスタ４２自体がオフとなるので、第１のトランジスタ４２のコレクタ側からエミッタ側に電流が流れなくなる。そして、電源（＋Ｂ）からトランス４１に電流が流れず、電源（＋Ｂ）からブラウン管６への電力の供給が遮断されることとなる。
つまり、スイッチ９がオフに切り替えられることによって、電源（＋Ｂ）から映像表示駆動回路４、フライバックトランス５、ブラウン管６への電流の供給が遮断されるので、映像表示駆動回路４、フライバックトランス５、ブラウン管６における電力消費が削減されることになる。
【００２７】
ブラウン管６は、入力された映像信号に基づく電子ビームを出射し、その電子ビームをブラウン管６の管面（前面）の蛍光面に当てることにより映像を形成する映像表示機器である。
【００２８】
オーディオアンプ７は、入力された音声信号（電気信号）に対して増幅処理などを行い、スピーカー８に音声に関する信号を出力する。また、オーディオアンプ７には、電源（＋Ｂ）が接続されている。
スピーカー８は、入力された音声信号に基づき、例えば、ソレノイドが振動板を振動させることにより音声を出力する機器である。
なお、音声出力系のオーディオアンプ７には、電源（＋Ｂ）が独立して接続されているので、スイッチ９がオフに切り替えられて映像表示系への電力供給が遮断された場合でも、オーディオアンプ７やスピーカー８を動作させて、音声を出力することが可能になっている。
【００２９】
制御部１０は、例えば、ＣＰＵを備えており、図示しないリモコンなどの操作部から入力される操作信号や、予め設定されている設定データ等に応じて、図示しないＲＯＭなどに格納されているＤＶＤ再生装置一体型テレビ用の各種制御プログラムに従って各部の動作を集中制御し、その処理結果を図示しないＲＡＭ内のワークエリアに格納する。
そして、制御部１０は、ＤＶＤ再生装置一体型テレビ１００を構成する各部の動作を制御し、放送信号に基づく放送番組の放映や、ＤＶＤに記録されている映画などのコンテンツの放映や、ＣＤに記録されている音楽の再生を実行する。
【００３０】
また、制御部１０は、光ディスク再生装置２のディスクトレイに装填されている光ディスクがＣＤであるか否かを判断する光ディスク判断手段として機能する。
なお、光ディスク判断手段としての制御部１０は、光ディスク再生装置２が読み取った光ディスクのＴＯＣ情報に基づき、光ディスク再生装置２に装填されている光ディスクがＤＶＤであるかＣＤであるか判別するようにして、ＣＤであるか否かを判断する。
【００３１】
また、制御部１０は、光ディスク判断手段としての制御部１０が、光ディスク再生装置２に装填されている光ディスクがＣＤであると判断した場合に、光ディスク再生装置２にＣＤ検出信号をスイッチ９に向けて出力させる制御を実行し、スイッチ９を切るように開いてオフに切り替える処理を実行する。
【００３２】
次に、本発明に係るＤＶＤ再生装置一体型テレビ１００が、スイッチ９をオフに切り替える処理について、図２に示すフローチャートに基づき説明する。
【００３３】
まず、ＤＶＤ再生装置一体型テレビ１００の制御部１０は、光ディスク再生装置２のディスクトレイに光ディスクが装填されているか否かを判断する（ステップＳ１０１）。
制御部１０が、光ディスク再生装置２のディスクトレイに光ディスクが装填されていないと判断すると（ステップＳ１０１；Ｎｏ）、光ディスクが装填されるまで待機したり、受信部１で受信した放送信号に関する処理に移行したりする。
一方、制御部１０が、光ディスク再生装置２のディスクトレイに光ディスクが装填されていると判断すると（ステップＳ１０１；Ｙｅｓ）、制御部１０は、装填されている光ディスクの種類を判別する判別処理を実行する（ステップＳ１０２）。
【００３４】
制御部１０が、光ディスクに記録されているＴＯＣ情報などに基づき、光ディスク再生装置２のディスクトレイに装填されている光ディスクがＣＤであると判断すると（ステップＳ１０３；Ｙｅｓ）、ステップＳ１０４へ進む。
一方、制御部１０が、光ディスクに記録されているＴＯＣ情報などに基づき、光ディスク再生装置２のディスクトレイに装填されている光ディスクがＣＤでなく、ＤＶＤであると判断すると（ステップＳ１０３；Ｎｏ）、ステップＳ１０９へ進む。
【００３５】
ステップＳ１０４において、制御部１０は、光ディスク再生装置２にＣＤ検出信号をスイッチ９に向けて出力させて、スイッチ９をオフに切り替える（ステップＳ１０４）。
そして、リモコンなどの操作部がユーザに操作されたことに基づき、ＣＤ（光ディスク）の再生指示が入力されたことを制御部１０が検知すると（ステップＳ１０５；Ｙｅｓ）、光ディスク再生装置２が駆動（ＣＤプレイ）され、ＤＶＤ再生装置一体型テレビ１００のスピーカー８から音声が出力される（ステップＳ１０６）。
なお、ステップＳ１０４において、スイッチ９がオフに切り替えられているので、電源（＋Ｂ）からブラウン管６への電流の供給が遮断されており、ＣＤ再生中における映像表示に関する電力消費が削減されるようになっている。
【００３６】
そして、リモコンなどの操作部がユーザに操作されたことに基づき、ＣＤ再生に関する停止指示が入力されたことを制御部１０が検知すると（ステップＳ１０７；Ｙｅｓ）、制御部１０は、光ディスク再生装置２の駆動を停止させ（ステップＳ１０８）、ＣＤの再生処理を終了する。
【００３７】
ステップＳ１０９において、リモコンなどの操作部がユーザに操作されたことに基づき、ＤＶＤ（光ディスク）の再生指示が入力されたことを制御部１０が検知すると（ステップＳ１０９；Ｙｅｓ）、光ディスク再生装置２が駆動（ＤＶＤプレイ）され、ＤＶＤ再生装置一体型テレビ１００において、ＤＶＤに記録されているコンテンツ（映像や音声）が再生されて出力される（ステップＳ１１０）。
【００３８】
そして、リモコンなどの操作部がユーザに操作されたことに基づき、ＤＶＤ再生に関する停止指示が入力されたことを制御部１０が検知すると（ステップＳ１１１；Ｙｅｓ）、制御部１０は、光ディスク再生装置２の駆動を停止させ（ステップＳ１１２）、ＤＶＤの再生処理を終了する。
【００３９】
このように、本発明に係るＤＶＤ再生装置一体型テレビ１００は、光ディスク再生装置２のディスクトレイに装填されている光ディスクがＣＤであると判断した場合に、ＣＤ検出信号を出力してスイッチ９をオフに切り替えることによって、電源（＋Ｂ）から映像表示駆動回路４、フライバックトランス５、ブラウン管６へ供給される電流を遮断することができる。
よって、ＤＶＤ再生装置一体型テレビ１００の光ディスク再生装置２において、ＣＤを再生処理する際に、動作する必要のない映像表示系（映像表示駆動回路４、フライバックトランス５、ブラウン管６）の駆動を停止することによって、ブラウン管６などの映像表示系における消費電力を削減することができる。
つまり、ＤＶＤ再生装置一体型テレビ１００は、ＣＤ再生を行い音声のみを出力する際に不要な映像表示系のブラウン管６などの駆動を抑え、消費電力を低減することができる光ディスク再生装置一体型映像表示機（テレビ受像機）であるといえる。
【００４０】
なお、以上の実施の形態においては、映像表示部としてブラウン管６を例に挙げて説明したが、本発明はこれに限定されるものではなく、例えば、映像表示部はＬＣＤ（Liquid Crystal Display）やＰＤＰ（Plasma Display Panel）であってもよい。また、その場合、映像表示駆動回路４は、その映像表示部に応じた駆動回路とすればよい。
【００４１】
また、以上の実施の形態においては、駆動回路として水平偏向回路である映像表示駆動回路４を例に挙げて説明したが、本発明はこれに限定されるものではなく、駆動回路は垂直偏向回路であってもよい。
【００４２】
また、以上の実施の形態においては、スイッチ９をオフに切り替えることによって、電源（＋Ｂ）から映像表示駆動回路４に供給される電流を遮断し、消費電力を低減するとしたが、本発明はこれに限定されるものではなく、例えば、映像表示駆動回路４に備えられる偏向ヨークに対する電流遮断を行うようにしてもよい。
【００４３】
また、以上の実施の形態においては、切替手段としてのスイッチ９と第１のトランジスタ４２の協働により、電源（＋Ｂ）から映像表示駆動回路４に供給される電流を遮断したが、本発明はこれに限定されるものではなく、例えば、１つのスイッチをオフに切り替えることにより、所定の映像表示部や映像表示系各部に電源から供給される電流を直接的に遮断するようにしてもよく、切替手段はその他任意の構成であってよい。
【００４４】
また、光ディスク再生装置一体型映像表示機は、テレビ受像機に限らず、映像と音声を出力可能なモニター装置などであってもよい。
【００４５】
また、その他、具体的な細部構造等についても適宜に変更可能であることは勿論である。
【図面の簡単な説明】
【００４６】
【図１】本発明に係るＤＶＤ再生装置一体型テレビの要部構成を示すブロック図である。
【図２】ＤＶＤ再生装置一体型テレビにおける光ディスク再生装置の駆動に関する処理を示すフローチャートである。
【符号の説明】
【００４７】
１      受信部
２      光ディスク再生装置
３      信号処理部
４      映像表示駆動回路（駆動回路）
４１    トランス
４２    第１のトランジスタ（トランジスタ、切替手段）
５      フライバックトランス
６      ブラウン管（映像表示部）
７      オーディオアンプ
８      スピーカー（音声出力部）
９      スイッチ（スイッチ部、切替手段）
１０    制御部（光ディスク判断手段）
１００  ＤＶＤ再生装置一体型テレビ（光ディスク再生装置一体型映像表示機、光ディスク再生装置一体型テレビ受像機）
【図１】
2007129399.tif 000003
【図２】
2007129399.tif 000004